(57)【要約】【課題】クラウンのないプーリに使用することができ、ベルトの離脱防止が図れる無端金属ベルトを提供する。【解決手段】クラウンがなく、直径が軸方向に同一のプーリに巻き付けられる無端金属ベルトであって、無端金属ベルトの幅方向中央部が、幅方向両端部より強い接触力を有してプーリに接触される。幅方向中央部は、凸形状のリブで形成されてもよい。幅方向中央部は、厚さのある肉厚部とされ、厚さが前記幅方向両端部にゆくにしたがって薄くされる形状としてもよい。幅方向中央部は、板状の２つのベルト材料の端部が重ねられて溶接された肉厚部としてもよい。【選択図】図１
2010078072.tif 000002
【特許請求の範囲】
【請求項１】
直径が軸方向に同一のプーリに巻き付けられる無端金属ベルトであって、
前記無端金属ベルトの幅方向中央部が、幅方向両端部より強い接触力を有して前記プーリに接触されることを特徴とする無端金属ベルト。
【請求項２】
前記幅方向中央部が、前記プーリの方向に膨らんだ凸形状のリブで形成されていることを特徴とする請求項１に記載の無端金属ベルト。
【請求項３】
前記幅方向中央部が最も厚く、前記幅方向両端部に向って厚さが徐々に薄くなることを特徴とする請求項１に記載の無端金属ベルト。
【請求項４】
前記幅方向中央部は、板状の２つのベルト材料の端部が重ねられて溶接された肉厚部であることを特徴とする請求項１に記載の無端金属ベルト。
【発明の詳細な説明】
【技術分野】
【０００１】
本発明は無端金属ベルトに係り、より詳細には、クラウンのないプーリに使用でき、ベルトの離脱を防止できる無端金属ベルトに関する。
【背景技術】
【０００２】
ベルト伝動機構は、ベルトを２つのプーリに巻き付けて、一方のプーリ軸の回転を他方のプール軸に伝えるものである。ベルトは形状的に分類すると、Ｖベルト、歯付きベルト、平ベルトの３種類に大別される。Ｖベルトは相手のプーリにＶ溝があるので、回転時にプーリから外れる心配がない。歯付きベルトや平ベルトは、何らかの離脱防止対策を施す必要がある。
【０００３】
離脱防止対策には、（１）プーリの両側に壁となる段部を設け、ベルトの動きを段部で押さえ込む。（２）ベルトが戻るようにプーリにクラウンを付ける。（３）ベルトの両サイドにスプロケットを設ける。などがある。図６の（Ａ）にプーリ１のクラウン３を示す。図６の（Ａ）は、（Ｂ）のＤ−Ｄ断面図である。平ベルト２がクラウン３に巻き付けられ、外力が平ベルト２の幅方向に働く場合、平ベルト２の端部がクラウン３の山を越えない範囲では、復元力が働き元の位置に戻される。
【０００４】
無端金属ベルトは、特許文献１に示されるように、長尺な板部材が溶接により環状に形成された平ベルトである。部材にはステンレスなどが使用される。無端金属ベルトは、耐久性に優れ、粉塵が出ない。また、伸びが少なく、位置制御が正確であることからクリーンルームに設置される製造装置等に多用される。
【０００５】
一般に、クラウン付きのプーリは、加工に手間がかかるので、クラウンなしのプーリが好まれる。特許文献２には、クラウンなしのプーリに使用する歯付きベルトが示されている。ここでは、樹脂またはゴムのベルト内に、複数の抗張体（芯材）となる線材をベルトの幅方向に凸形円孤状もしくは凹形円孤状に埋め込んで、ベルトの離脱防止を図っている。しかし、無端金属ベルトにおいては、このような樹脂と芯材といったコンポジット化が困難である。そのため、スプロケットを設けるか、クラウン付きプーリを使用するしかなかった。
【特許文献１】特開２００５−４０８８３号公報
【特許文献２】特開２００３−３４３６５５号公報
【発明の開示】
【発明が解決しようとする課題】
【０００６】
本発明の目的は、クラウンのないプーリに使用することができ、ベルトの離脱防止が図れる無端金属ベルトを提供することにある。
【課題を解決するための手段】
【０００７】
上記の目的を達成するため、本発明による無端金属ベルトは、直径が軸方向に同一のプーリに巻き付けられる無端金属ベルトであって、前記無端金属ベルトの幅方向中央部が、幅方向両端部より強い接触力を有して前記プーリに接触されることを特徴とする。
【０００８】
請求項２は、前記幅方向中央部が、前記プーリの方向に膨らんだ凸形状のリブで形成されていることを特徴とする。
【０００９】
請求項３は、前記幅方向中央部が最も厚く、前記幅方向両端部に向って厚さが徐々に薄くなることを特徴とする。
【００１０】
請求項４は、前記幅方向中央部が、板状の２つのベルト材料の端部が重ねられて溶接された肉厚部であることを特徴とする。
【発明の効果】
【００１１】
本発明によれば、直径が軸方向に同一のプーリに巻き付けられる無端金属ベルトであって、無端金属ベルトの幅方向中央部が、幅方向両端部より強い接触力でプーリに接触さることにより、無端金属ベルトに復元力を与え、無端金属ベルトの離脱を防止することができる。プーリのクラウンは、機械研削と研磨など加工工数が大きいので、プーリにクラウンがなくても良いなら大幅なコスト低減も図れる。
【００１２】
請求項２によれば、幅方向中央部を凸形状のリブで形成し、両端部を平坦な段部としたので、無端金属ベルトの幅方向中央部を、幅方向両端部より強い接触力でプーリに接触させることができる。これにより、無端金属ベルトに復元力を与え、無端金属ベルトの離脱を防止することができる。特にリブは製造する上で有利である。リブは板状の部材の一方の側からプレスすることで容易に形成できる。
【００１３】
請求項３によれば、幅方向中央部の肉厚を両端部より厚くすることで、中高の凸形状としたので、無端金属ベルトの幅方向中央部を、幅方向両端部より強い接触力でプーリに接触させることができる。これにより、無端金属ベルトに復元力を与え、無端金属ベルトの離脱を防止することができる。中高の肉厚構造は、製造する上で有利であり、円形断面の線材を平圧延によってつぶすようにして延ばすことで成形することができる。
【００１４】
請求項４によれば、板状の２つのベルト材料の端部を重ねて溶接し、重ねられた肉厚部を幅方向中央部としたので、無端金属ベルトの幅方向中央部を、幅方向両端部より強い接触力でプーリに接触させることができる。これにより、無端金属ベルトに復元力を与え、無端金属ベルトの離脱を防止することができる。中高ではない肉厚構造は、幅が広い無端金属ベルトに有利である。
【発明を実施するための最良の形態】
【００１５】
以下、図面を参照して、本発明による無端金属ベルトについて説明する。
【実施例１】
【００１６】
図１は、本発明による実施例１の無端金属ベルトを示し、（Ａ）は（Ｂ）のＤ−Ｄ断面図であり、（Ｂ）は無端金属ベルトがプーリに巻き付けられた時の側面図である。プーリ１は、（Ａ）の断面図に示すように、クラウンは設けていない。無端金属ベルト４は、（Ａ）の断面形状に示すように、突出した幅方向中央部５と幅方向両端部６を有しており、断面形状が幅方向に対称である。プーリ１に無端金属ベルト４を巻き付けた場合、突出した幅方向中央部５には、幅方向両端部６より強い接触力がかかる。そのため、図１には示さないが、幅方向両端部６は、ややたわんだ形状となる。実施例１は、突出させたリブ５ａと段部６ａを設けた。リブ５ａは、プレス機を用いて突出させない側からプレスすることで容易に成形できる。無端金属ベルト４がプーリ１に巻き付けられた状態では、リブ５ａのある部分の周長は、両端の段部６ａのある部分の周長より短いので、２つのプーリの間隔を広げることによりリブ５ａに大きな接触力、つまり張力をかけることができる。張力は、リブ５ａの部分で大きく段部６ａのある部分はそれより小さい。
【実施例２】
【００１７】
図２は、本発明による実施例２の無端金属ベルトを示し、（Ａ）は（Ｂ）のＤ−Ｄ断面図であり、（Ｂ）は無端金属ベルトがプーリに巻き付けられた時の側面図である。プーリ１は、（Ａ）の断面図に示すように、クラウンは設けていない。無端金属ベルト４は、（Ａ）の断面形状に示すように、幅方向中央部５と幅方向両端部６を有し、断面形状が幅方向に対称である。実施例２の無端金属ベルト４では、突出させた肉厚部５ｂ、肉薄部６ｂを設けた。肉厚部５ｂ、肉薄部６ｂの形状は、断面が円形の線材を両側からプレスすることで成形できる。無端金属ベルト４がプーリ１に巻き付けられた状態では、肉厚部５ｂのある部分の周長は、両端の肉薄部６ｂのある部分の周長より短いので、２つのプーリの間隔によって肉厚部５ｂに大きな接触力、つまり張力をかけることができる。張力は、肉厚部５ｂの中央部分で最も大きく、肉薄部６ｂのある部分はそれより小さい。
【実施例３】
【００１８】
図３は、本発明による実施例３の無端金属ベルトを示し、（Ａ）は（Ｂ）のＤ−Ｄ断面図であり、（Ｂ）は無端金属ベルトがプーリに巻き付けられた時の側面図である。プーリ１は、（Ａ）の断面図に示すように、クラウンは設けていない。無端金属ベルト４は、（Ａ）の断面形状に示すように、幅方向中央部５と幅方向両端部６を有している。無端金属ベルト４は、（Ａ）の断面形状に示すように、２つのベルト材料の端部が重ね合わせて構成されている。重ね合わせの部分が、肉厚部５ｂとなっており、両側が肉薄部６ｂとなっている。図３（Ａ）に示すように、無端金属ベルト４の右側の部材は、プーリ１に接触するような形になる。しかし、無端金属ベルト４をプーリ１に巻き付け、プーリの間隔を広げるなら、肉厚部５ｂのある幅方向中央部５に大きな張力がかかるものとなる。なお、右側の肉薄部６ｂの張力は、幅方向中央部５より小さく、左側の肉薄部６ｂよりは大きくなる。
【００１９】
図４は、（Ａ）が図３の無端金属ベルトの全体斜視図である。（Ｂ）は（Ａ）のＡ−Ａ断面図である。中央の重なり部分は、所定の間隔のスポット溶接で接合した。（Ａ）、（Ｂ）に示すように、丸印はスポット溶接跡を示す。実施例３の無端ベルトは、幅が５００ｍｍなどと大きな幅を持ったものに有効である。
【００２０】
図５は、本発明による無端金属ベルトの復元力を説明する図である。実施例１、２に共通である。無端金属ベルト４が、第１プーリ１ａと第２プーリ１ｂに巻き付けられているとする。無端金属ベルト４が左右の中央付近で外力Ｐにより、図３の下方に押され一点鎖線で示すようにたわんだとする。その場合、無端金属ベルト４の中央部分は、膨らんだ形状により張力Ｔ、Ｔ’がかかっている。左側のＴに注目すると、Ｔは上方向の成分Ｔｃｏｓθと、左方向の成分Ｔｓｉｎθに分けられる。同様に右側のＴ’に注目すると、Ｔ’は上方向の成分Ｔ’ｃｏｓθと、右方向の成分Ｔ’ｓｉｎθに分けられる。ここで、ＴｓｉｎθとＴ’ｓｉｎθは力の向きが反対で釣り合う。一方、ＴｃｏｓθとＴ’ｃｏｓθは力の向きが同じなので、復元力Ｆは、ＴｃｏｓθとＴ’ｃｏｓθの和で計算される。張力Ｔ、Ｔ’が等しいとするなら、Ｆ＝２Ｔｃｏｓθの復元力が得られる。外力Ｐがなくなれば、無端金属ベルト４は元の位置に戻る。
【００２１】
実施例１、２は、無端金属ベルト４をプーリ１に接触する側に凸としたが、無端金属ベルト４をプーリ１に接触する側に凹としてもよい。その場合、製造上の作り安さは、凸の場合より難しくなる。
【産業上の利用可能性】
【００２２】
本発明による無端金属ベルトは、無端金属ベルトに復元力を持たせたので、クラウンなしのプーリに好適である。
【図面の簡単な説明】
【００２３】
【図１】本発明による実施例１の無端金属ベルトを示し、（Ａ）は（Ｂ）のＤ−Ｄ断面図であり、（Ｂ）は無端金属ベルトがプーリに巻き付けられた時の側面図である。
【図２】本発明による実施例２の無端金属ベルトを示し、（Ａ）は（Ｂ）のＤ−Ｄ断面図であり、（Ｂ）は無端金属ベルトがプーリに巻き付けられた時の側面図である。
【図３】本発明による実施例３の無端金属ベルトを示し、（Ａ）は（Ｂ）のＤ−Ｄ断面図であり、（Ｂ）は無端金属ベルトがプーリに巻き付けられた時の側面図である。
【図４】図３の無端金属ベルトを示し、（Ａ）は全体斜視図であり、（Ｂ）は（Ａ）のＡ−Ａ断面図である。（実施例３）
【図５】本発明による無端金属ベルトの復元力を説明する図である。
【図６】従来のクラウン付き平ベルトを示し、（Ａ）は（Ｂ）のＤ−Ｄ断面図であり、（Ｂ）は平ベルトがプーリに巻き付けられた時の側面図である。
【符号の説明】
【００２４】
１    プーリ
１ａ    第１プーリ
１ｂ    第２プーリ
２    平ベルト
３    クラウン
４    無端金属ベルト
５    幅方向中央部
５ａ    リブ
５ｂ    肉厚部
６    幅方向両端部
６ａ    段部
６ｂ    肉薄部
Ｆ    復元力
Ｐ    外力
Ｔ、Ｔ’    張力
【図１】
2010078072.tif 000003
【図２】
2010078072.tif 000004
【図３】
2010078072.tif 000005
【図４】
2010078072.tif 000006
【図５】
2010078072.tif 000007
【図６】
2010078072.tif 000008